(57)【要約】【課題】  水跳ねを少なくし、また、蛇口から流下した水がボウルの内面に沿って前端縁側に集中して流れるて前端縁から溢れ出るというような現象が生じることがない。。【解決手段】  ボウル本体１の底面２を蛇口３の下方に対応する位置が高く且つ周囲にいくにしたがって低くなるような上向き凸となった凸曲面部４とする。【選択図】図１
2007198019.tif 000002
【特許請求の範囲】
【請求項１】
ボウル本体の底面を蛇口の下方に対応する位置が高く且つ周囲にいくにしたがって低くなるような上向き凸となった凸曲面部として成ることを特徴とするボウルの構造。
【請求項２】
ボウル本体の底面の周部に凸曲面部から流れる水を排水するための排水溝部を設け、ボウル本体の側壁部の一部に排水口部を設け、上記排水溝部を排水口部に連通接続すると共に排水溝部の溝底を排水口部に向けて下り傾斜させて成ることを特徴とする請求項１記載のボウルの構造。
【発明の詳細な説明】
【技術分野】
【０００１】
本発明は、洗面台のボウル、あるいは流し台のボウル（シンク）等のボウルの水跳ね防止の技術に関するものである。
【背景技術】
【０００２】
従来の洗面台のボウルＡ、あるいは、一般にはシンクと称される流し台のボウルＡ等の底面２は図３に示すように下方に向けて凹んだ凹曲面部２０となっている。
【０００３】
この底面が凹曲面部２０となっているボウルＡの後部の上方位置にからんの蛇口３が位置し、蛇口３から水（湯）が流下するようになっており、図３のように蛇口３から流下した水が凹曲面部２０に当たり、流下した水の殆どが前上方に向けて跳ねるようになっていた。このため、前方へ向けての水跳ねが集中して起きるという問題があり、更に、流下した水の勢いにより流下した水の殆どが凹曲面部２０の後部から凹曲面部２１に沿って前部に盛り上がるようにして集中して流れるため、ボウルＡの前端縁から溢れ出る恐れもあった。このようなボウルＡの前端縁からの水の溢れ出を防止するために従来はボウルＡの前端縁部に内方に向けて水返しリブ２１を突設しているが、該水返しリブ２１の裏面側及び凹曲部２０の水返しリブ２１側の端部に汚れが付着しやすく、付着した汚れの掃除もし難いという問題あった。
【０００４】
また、ボウルの前端縁に水返しリブを設けることなく、凹曲面部の内面の前部に複数段に水切り突起を突設して、凹曲面部の後部に流下した水が凹曲面部に沿って前方に盛り上がるようにして流れるのを水切りすることが特許文献１により知られているが、凹部面部の内面に水切り突起を突設しただけでは凹曲面部の後部から凹曲面部に沿って前部に盛り上がるようにして集中して流れる水を止めるには十分ではなく、また、凹曲面部の内面に複数段の水切り突起を設けた部分にも汚れが付き易く、この部分に付着した汚れの掃除がし難いという問題がある。
【０００５】
また、従来のボウルは凹曲面部の一部に排水口部を設け、ボウル内に流下した水を該排水口から排水するようにしているが、上記のように蛇口から流下した水が集中して凹曲面部の内面に沿って前方に盛り上がるようにして流れるため、排水口部からの排水がスムーズに行なわれないという問題がある。更に、凹曲面部の一部に排水口部を設けるので、排水口部に栓をしてボウル内に水を溜めて洗顔したり、手を洗ったり、小物を洗ったりする場合に、排水口部の栓が邪魔になるという問題があり、また、水を溜めての使用中に誤って栓を抜いてしまう恐れもあって、使用性が良くない。
【特許文献１】特開平８−２４３０３７号公報
【発明の開示】
【発明が解決しようとする課題】
【０００６】
本発明は上記の従来の問題点に鑑みて発明したものであって、水跳ねを少なくし、また、蛇口から流下した水がボウルの内面に沿って前端縁側に集中して流れて前端縁から溢れ出るというような現象が生じることがなく、また、排水口部からの排水がスムーズに行え、使用性が良いボウルの構造を提供することを課題とするものである。
【課題を解決するための手段】
【０００７】
上記課題を解決するために本発明に係るボウルの構造は、ボウル本体１の底面２を蛇口３の下方に対応する位置が高く且つ周囲にいくにしたがって低くなるような上向き凸となった凸曲面部４として成ることを特徴とするものである。
【０００８】
このような構成とすることで、蛇口３から流下した水は凸曲面部４の頂部９部分に流下し、凸曲面部４の頂部９部分から全周囲に向かって凸となった弧面に沿って分散して流れることになり、これにより、従来のようにボウルＡの前方側にのみ集中して水が飛散するというような現象が生じることがなく、しかも、凸曲面部４の頂部９部分から全周囲に向かって分散して流れるため、従来のように蛇口３から流下した水の勢いのままボウルＡの前方側に流下水の殆どが集中して流れてボウルＡの前端縁から溢れ出るというような現象が生じることがない。したがって、従来のようにボウルＡの前端縁部に内方に向けて水返しリブを突設しないようにすることが可能となり、水返しリブを設けない場合はこの部分に汚れが付着して外観が悪くなるだけでなく、掃除がし難いというような問題がなくなる。
【０００９】
また、ボウル本体１の底面２の周部に凸曲面部４から流れる水を排水するための排水溝部５を設け、ボウル本体１の側壁部６の一部に排水口部７を設け、上記排水溝部５を排水口部７に連通接続すると共に排水溝部５の溝底を排水口部７に向けて下り傾斜させることが好ましい。
【００１０】
このような構成とすることで、凸曲面部４の頂部９から周囲に分散して流れた水を凸曲面部４の周囲に設けた排水溝部５を介してスムーズに排水口部７に流すことができる。排水口部７に栓をしてボウルＡ内に水を溜めて洗顔や手洗いや小物の洗浄を行う際に排水口部７にした栓が邪魔になることがなく、また、水を溜めての使用中に誤って栓を抜くことがない。
【発明の効果】
【００１１】
本発明は、蛇口から流下する水を凸曲面部の頂部部分から周囲に向けて分散して凸曲面部の弧面に沿って流すことができ、水跳ねを少なくし、また、蛇口から流下した水がボウルの内面に沿って前端縁側に集中して流れて前端縁から溢れ出るというような現象が生じることがない。
【００１２】
また、排水口部からの排水がスムーズに行え、使用性も良くなる。
【発明を実施するための最良の形態】
【００１３】
以下、本発明を添付図面に示す実施形態に基いて説明する。図１、図２に示すように、ボウルＡは、下方に凹んだボウル本体１の底面２の周囲を除く大部分を上方に向けて凸となった凸曲面部４を形成すると共に凸曲面部４の周囲を囲むように排水溝部５を設け、更に、ボウル本体１の側壁部６の一部に排水口部７を設けることで構成してある。
【００１４】
凸曲面部４は略半球状をしたもので、からんに設けた蛇口３の下方に対応する位置が凸曲面部４の最も高くなった部分（つまり頂部９）となっており、凸曲面部４は全体として上記蛇口３の下方に対応する位置である頂部９から周囲にいくにしたがって低くなるように構成してある。
【００１５】
ボウル本体１の底面２の周部には上記凸曲面部４の周囲を囲むように凸曲面部４から流れる水を排水するための排水溝部５を設けてある。また、ボウル本体１の側壁部６の一部には一側方及び上方に開口した凹部１１が設けてあり、凹部１１の底に排水口部７を設けてある。凸曲面部４の周囲を囲む環状をした排水溝部５の一部に上記凹部１１の側方開口部が開口し、凹部１１の底が排水溝部５の一部に連続していて凹部１１の底に設けた排水口部７が排水溝部５の一部に連通接続しており、環状の排水溝部５の底は排水口部７に向けて下り傾斜しており、実施形態では排水溝部５の排水口部７から最も離れた位置が排水溝部５の底の最も高さが高く、排水口部７に最も近い位置が最も高さが低くなっている。
【００１６】
上記のような構成のボウルＡにおいて、蛇口３から水（湯）を流下させると、図１に示すように水は凸曲面部４の頂部９部分に流下し、頂部９部分に流下した水は凸曲面部４の頂部９部分から頂部９の全周囲に向かって凸となった弧面に沿って分散して流れることになる。この場合、周囲に分散して流れる水は周囲に分散することで勢いを分散させられて図１の矢印に示すように凸曲面部４の弧面に沿って流線的に下向きに流れ、凸曲面部４の頂部９の周囲から凸曲面部４の周囲に設けた排水溝部５へと流れる。
【００１７】
このように、凸曲面部４の周囲に分散して流れることで、従来のようにボウルＡの前方側にのみ集中して水が飛散するというような現象が生じることがなくなる。また、凸曲面部４の頂部部分から全周囲に向かって分散して流れるため、従来のように蛇口３から流下した水の勢いのままボウルＡの前方側に流下水の殆どが集中して流れてボウルＡの前端縁から溢れ出るというような現象が生じることがない。このため、本発明によれば、従来のようにボウルＡの前端縁部に内方に向けて水返しリブを突設しないようにすることが可能となり（図１．図２にはボウルＡの前端縁部に内方に向けて水返しリブを突設しない実施形態が示してある）、このように水返しリブを設けない場合は従来に比べて汚れが付着し難く、しかも掃除がし易くなる。
【００１８】
凸曲面部４の周囲に分散して流れて周囲の排水溝部５に流れることで、勢いが減じられた水は排水溝部５を排水口部７に向けてスムーズに流れ、排水口部７からスムーズに排水される。
【００１９】
このように、蛇口３から流れた水は下方に凹んだボウル本体１の底面２の大部分を占める凸曲面部４の頂部９に流下して凸曲面部４の全周面を凸曲面部４の弧面に沿って分散して流れ、更に底面２の周部の排水溝部５に沿って流れて排水口部７から排水されるので、凸曲面部４の全面及び周囲の全排水溝部５を水が流れることになり、汚れ難くい。
【００２０】
また、ボウル本体１の側壁部６の一部に排水口部７を設けてあるので、排水口部７に栓をしてボウルＡ内に水を溜めて洗顔や手洗いや小物の洗浄を行う際、排水口部７にした栓が邪魔になることがなく、また、水を溜めての使用中に誤って栓を抜くといったおそれもなく、使い勝手が良くなる。
【００２１】
なお、本発明のボウルＡは洗面台のボウルであってもよく、あるいは流しのシンクが本発明のボウルであってもよい。
【図面の簡単な説明】
【００２２】
【図１】本発明の概略断面図である。
【図２】本発明のボウルの全体斜視図である。
【図３】従来例の概略断面図である。
【符号の説明】
【００２３】
１  ボウル本体
２  底面
３  蛇口
４  凸曲面部
５  排水溝部
６  側壁部
７  排水口部
【図１】
2007198019.tif 000003
【図２】
2007198019.tif 000004
【図３】
2007198019.tif 000005